(57)【要約】【課題】現場寸法が設計寸法と異なっていてもタイル張り壁パネルによって壁を容易に構築することができる壁パネルの施工方法を提供する。【解決手段】壁プレート３の前面に沿って壁パネルが設置されている部屋の該壁パネルを設置施工する方法であって、対面する壁パネル４と壁パネル７との間に壁パネル５を設置する方法において、壁パネル４，７間の距離が設計値よりも小さい場合、該距離に合わせて壁パネル５を切断して壁パネル５の幅を調整する。壁パネル４，７との間の距離が設計値よりも大きい場合、壁パネル５と壁パネル４との間にバックアップ材３５を設置し、該バックアップ材３５の前面にタイル３６等の仕上げ材を張る。【選択図】図１３
2014156701.tif 000002
【特許請求の範囲】
【請求項１】
部屋構築スペースを囲む建物壁プレートの前面に沿って壁パネルを設置施工する方法であって、
対面する第１の壁パネルと第２の壁パネルとの間にこれらと直交方向に延在する第３の壁パネルを設置する方法において、
該第１の壁パネルと第２の壁パネルとの間の距離が設計値よりも小さい場合、第３の壁パネルを切断して第３の壁パネルの幅を調整することを特徴とする壁パネルの施工方法。
【請求項２】
請求項１において、前記第３の壁パネルは、フレームと、該フレームの前面に設けられた下地ボードと、該下地ボードに張り付けられたタイルとを有したタイル張り壁パネルであり、
該下地ボードが該フレームの一方の側辺から張り出しており、
この張り出した部分において壁パネルを切断して幅を調整する壁パネルの施工方法。
【請求項３】
部屋構築スペースを囲む建物壁プレートの前面に沿って壁パネルを設置施工する方法であって、
対面する第１の壁パネルと第２の壁パネルとの間にこれらと直交方向に延在する第３の壁パネルを設置する方法において、
該第１の壁パネルと第２の壁パネルとの間の距離が設計値よりも大きい場合、第３の壁パネルと第１又は第２の壁パネルとの間にバックアップ材を設置し、該バックアップ材の室内側の前面を仕上げ手段によって隠蔽することを特徴とする壁パネルの施工方法。
【請求項４】
請求項３において、前記仕上げ手段として、タイルを前記バックアップ材の前面に張る壁パネルの施工方法。
【請求項５】
請求項３において、前記仕上げ手段として、化粧カバーを該バックアップ材の前面を含む部屋コーナー部に設ける壁パネルの施工方法。
【請求項６】
請求項１ないし５のいずれかの方法により建て込まれた壁パネルを有する部屋。
【発明の詳細な説明】
【技術分野】
【０００１】
本発明は、壁パネルによって部屋の壁を構築する壁パネルの施工方法に係り、特に壁パネルを建物の壁に沿って建て込む工程を有する壁パネルの施工方法に関する。また、本発明は、この方法によって壁が構築された部屋に関する。
【背景技術】
【０００２】
建物の構造壁に沿ってタイル張り壁パネルを立設してユニットバスルームを構築する工法が特許文献１（特開平１−１０５８７４号公報）に記載されている。特許文献１では、ユニットバスルームの周囲に、垂直片を有した水返し材を設置し、ユニットバス用壁パネルに取り付けたバックハンガを該垂直片に係合させることにより壁パネルを固定している。
【先行技術文献】
【特許文献】
【０００３】
【特許文献１】特開平１−１０５８７４
【発明の概要】
【発明が解決しようとする課題】
【０００４】
上記特許文献１では、水返し材を設計通りの位置に設置することにより、規格寸法のタイル張り壁パネルを建て込んでユニットバスルームの壁を構築することができる。
【０００５】
ところが、壁パネルを建物の壁プレートに取り付ける工法を採用した場合、実際の壁プレート間の寸法（現場寸法）が設計値から外れていることがある。現場寸法が設計値よりも過度に大きい場合、規格幅寸法のタイル張り壁パネルを建て込むと、タイル張り壁パネル同士間に隙間があいてしまう。逆に現場寸法が設計値よりも過度に小さい場合、規格寸法のタイル張り壁パネルを建て込もうとしても、タイル張り壁パネルの幅寸法が現場寸法よりも大きいため、タイル張り壁パネルを壁に沿わせて配置することができない。
【０００６】
本発明はこのような問題点を解決し、現場寸法が設計寸法と異なっていてもタイル張り壁パネルを容易に建物の壁プレートに沿わせて設置することができる壁パネルの施工方法を提供することを目的とする。また、本発明は、この壁パネルの施工方法により構築された部屋を提供することを目的とする。
【課題を解決するための手段】
【０００７】
第１発明の壁パネルの施工方法では、部屋構築スペースを囲む建物壁プレートの前面に沿って壁パネルを設置施工する。対面する第１の壁パネルと第２の壁パネルとの間にこれらと直交方向に延在する第３の壁パネルを設置する。該第１の壁パネルと第２の壁パネルとの間の距離が設計値よりも過度に小さい場合、第３の壁パネルを切断して第３の壁パネルの幅を調整する。
【０００８】
第１発明の一態様では、前記第３の壁パネルは、フレームと、該フレームの前面に設けられた下地ボードと、該下地ボードに張り付けられたタイルとを有したタイル張り壁パネルであり、該下地ボードが該フレームの一方の側辺から張り出しており、この張り出した部分において第３の壁パネルを切断して第３の壁パネルの幅を調整する。
【０００９】
第２発明の壁パネルの施工方法では、部屋構築スペースを囲む建物壁プレートの前面に沿って壁パネルを設置施工する。対面する第１の壁パネルと第２の壁パネルとの間にこれらと直交方向に延在する第３の壁パネルを設置する。該第１の壁パネルと第２の壁パネルとの間の距離が設計値よりも過度に大きい場合、第３の壁パネルと第１又は第２の壁パネルとの間にバックアップ材を設置し、該バックアップ材の室内側の前面を仕上げ手段によって隠蔽する。
【００１０】
前記仕上げ手段として、タイルを前記バックアップ材の前面に張るか、又は化粧カバーをバックアップ材の前面を含む部屋コーナー部に設けることが好ましい。
【００１１】
第３発明の部屋は、第１又は第２発明の方法により建て込まれた壁パネルを有する。
【発明の効果】
【００１２】
第１発明の壁パネルの施工方法においては、第１の壁パネルと第２の壁パネルとの間の距離が設計値よりも過度に小さく、そのままでは第３の壁パネルを設置施工できない場合、第３の壁パネルを切断して幅寸法を調整し、第２の壁パネルを建て込む。
【００１３】
壁パネルがタイル張り壁パネルの場合、下地ボードをフレームの一側辺から張り出した構成としておくことにより、この張り出した部分を切断して壁パネルの幅寸法を容易に調整することができる。
【００１４】
第２発明では、第１の壁パネルと第２の壁パネルとの間の距離が規格寸法よりも過度に大きく、そのままでは第３の壁パネルと第１又は第２の壁パネルとの間に過度に大きな隙間があいてしまう場合、第３の壁パネルと第１又は第２の壁パネルとの間にバックアップ材を配置し、このバックアップ材を仕上げ手段によって隠蔽する。バックアップ材の前面にタイルを張ることにより美観よく仕上げることができる。第１の壁パネルと第３の壁パネルとのコーナー部に化粧カバーを設けることによっても美観よく仕上げることができる。
【図面の簡単な説明】
【００１５】
【図１】実施の形態に係る部屋の内部を遠近法により示した縦断面図である。
【図２】図１の部屋の間取り図である。
【図３】第３の壁パネルの背面図である。
【図４】図３のIV−IV線断面図である。
【図５】図４のＶ部分の拡大図である。
【図６】壁パネルの上部の固定構造を示す縦断面図である。
【図７】カウンター壁パネルの下部の固定構造を示す縦断面図である。
【図８】図１のVIII−VIII線断面図である。
【図９】基礎及びその上に立設されたＰＣ壁プレートを示す縦段面図である。
【図１０】基礎及びその上に立設されたＰＣ壁プレートを示す縦段面図である。
【図１１】第１発明の方法によりタイル張り壁パネルが建て込まれた壁の水平断面図である。
【図１２】タイル張り壁パネルの切断位置を示すタイル張り壁パネルの水平断面図である。
【図１３】第２発明の方法によりタイル張り壁パネルが建て込まれた壁の水平断面図である。
【図１４】タイル張り壁パネルが建て込まれた壁の水平断面図である。
【図１５】第１発明の方法によりタイル張り壁パネルが建て込まれた壁の水平断面図である。
【図１６】第２発明の方法によりタイル張り壁パネルが建て込まれた壁の水平断面図である。
【発明を実施するための形態】
【００１６】
以下、図面を参照して実施の形態について説明する。
【００１７】
図１，２に示す通り、建物の躯体床１に基礎２，２が上方へ立ち上がるように設けられており、基礎２，２上に、それぞれＰＣ壁プレート（プレキャストコンクリート製の壁版）３，３が立設されている。ＰＣ壁プレート３，３は、建物の躯体壁９と直交している。
【００１８】
このＰＣ壁プレート３及び躯体壁９の室内面に沿ってタイル張り壁パネル（以下、単に壁パネルということがある。）４，５，６，７が設けられている。この実施の形態では壁パネル４が第１の壁パネルであり、壁パネル７が該第１の壁パネル４に対面する第２の壁パネルであり、壁パネル５が該壁パネル４，７と直交方向の第３の壁パネルである。壁パネル６は、カウンターの前面パネルであり、壁パネル７と平行に設置されている。図示はしないが、壁パネル５と対面するように、ドアを有した第４の壁パネルが設けられている。
【００１９】
この部屋の床は、タイル張りのＰＣ床プレート１０によって構成されているが、躯体床１上にモルタルを敷き均し、その上にタイルを張る作業によって床面を構成してもよい。図２の通り、床プレート１０上にはシャワースペース１０ａが設けられており、その隣は洗面トイレスペース１０ｂとなっている。
【００２０】
タイル張り壁パネル４，５，６及び前記第４の壁パネル（図示略）は、それぞれ、床プレート１０の周縁部上面に立設されている。壁パネル７はカウンター用ブラケット１１の上に立設されている。壁パネル４，５の上端は、壁プレート３に対し、図６の通り、Ｌ型金具１２を介して固定されている。このＬ型金具１２はビス１３によって壁パネル４，５の上端に留め付けられると共に、コンクリート用ビス１４によって壁プレート３に固定されている。壁パネル４，５の背面は接着剤によって壁プレート３に接着されている。壁パネル７も同様にして躯体壁９に固定されている。
【００２１】
壁パネル６の下端は、図７の通り、Ｌ型金具１５とバックハンガ１６を介して床プレート１０に固定されている。Ｌ型金具１５は、コンクリート用ビス（図示略）によって床プレート１０に固定されている。バックハンガ１６は上部がビス（図示略）によって壁パネル６のフレーム２０に留め付けられている。バックハンガ１６の下部とフレーム２０の背面との間にＬ型金具１５を差し込むことにより、壁パネル６の下端が床パネル１０に固定される。壁パネル６の上端はブラケット１１（図１）に留め付けられている。ブラケット１１はコンクリート用ビスによって壁プレート３に固定されている。
【００２２】
図１の通り、ブラケット１１の上側にカウンター天板１８が設置されている。カウンター天板１８の下側かつ壁パネル６の背後側は配管を引き回すためのスペース１９となっている。
【００２３】
各壁パネル４〜７は、図３〜７に示すように、フレーム２０と、フレーム２０の前面に接着剤及びビス（図示略）によって固着された下地ボード２１と、該下地ボード２１の前面に接着剤によって張り付けられた陶磁器製のタイル２２と、タイル目地２３とを有している。フレーム２０は縦桟２０ｔと横桟２０ｙとを有している。
【００２４】
フレーム２０と下地ボード２１とは同一高さを有しているが、左右幅は図４，５の寸法Ｌだけ下地ボード２１の方が長い。Ｌは、２０〜１００ｍｍ特に２０〜５０ｍｍ程度であることが好ましい。図３，４の通り、下地ボード２１の一側辺はフレーム２０の一側辺２０ａと面一状に合致している。下地ボード２１の他側辺はフレーム２０の他側辺２０ｂよりも寸法Ｌ分だけ張り出している。
【００２５】
壁パネル５，５は、前面を面一に揃えて隣接配置され、フレーム一側辺２０ａ，２０ａ同士を防水パッキンを介して突き合せ、ボルト２５及びナット（図示略）によって連結されている。
【００２６】
図１の通り、壁パネル３，３の上端同士の間に跨って天井パネル２８が設置されている。
【００２７】
図１では、基礎２の室内側の側面２ｆとＰＣ壁プレート３の室内側の側面３ｆとは面一状となっており、図１の左側の壁プレート３と右側の壁プレート３との距離（スパン）は設計値通りとなっている。そのため、図８にも示すように、図１の右側の壁プレート３に取り付けられた壁パネル４の背面（具体的にはフレーム２０の背面）から、左側の壁プレート３に取り付けられた壁パネル７の背面（具体的にはフレーム２０の背面）までの距離は、１枚の壁パネル５の幅Ｗの整数倍（ｎ倍。この実施の形態では２倍）と壁パネル４，７の厚みＴとの和ｎＷ＋２Ｔ（この実施の形態では２Ｗ＋２Ｔ）となっている。従って、図８の通り、２枚の壁パネル５，５をそのまま連結して壁パネル４，７間に立設している。
【００２８】
壁パネル５と壁パネル４，７とが交わるコーナー部にあっては、コーナー材３０が配置されており、壁パネル４，７同士の継目にコーキング剤が充填されている。コーナー材３０は、壁パネル４，７のフレーム２０にボルト３１及びナット３２によって取り付けられている。
【００２９】
図９の通り、壁プレート３の前面３ｆが基礎２の側面２ｆよりも室内側に寸法ａ分だけ突出して設置された場合、壁パネル４，７間の距離は設計値（ｎＷ＋２Ｔ）よりもａだけ小さくなり、そのままでは壁パネル５，５を壁パネル４，７間に立設することができない。このような場合には、図１２のように、一方の壁パネル５の側辺を寸法ａ分だけ切り落す。図１２の線Ｃは、このときの切断位置を示している。なお、ａはＬよりも小さい。
【００３０】
このように側辺部を切断して左右幅をａだけ小さくした壁パネル５’（図１１）を用いることにより、図１１の通り、壁パネル５，５’を図８の場合と同様にして壁パネル４，７間に建て込むことができる。
【００３１】
逆に、図１０のように、基礎２の位置が設計予定位置からずれていた等の理由により、壁プレート３の前面３ｆが設計予定位置ＷＬよりも距離ｂだけ後退している場合には、壁パネル５，５を壁パネル４，７間に立て込むと、壁パネル５と壁パネル４との間に寸法ｂだけ隙間があくことになる。そこで、この場合には、図１３の通り、躯体壁９の前面に幅ｂを有したバックアップ材３５を接着剤などによって取り付け、このバックアップ材３５の前面にタイル３６を張り付ける。タイル３６は壁パネル５のタイル２２と面一となるように張り付けられる。タイル２２，３６間、及び、タイル３６と壁パネル４とのコーナー継目には、コーキング剤が充填される。
【００３２】
このように、壁プレート３の立設位置が正規位置よりも前後方向にずれていても、第３の壁パネル５を容易に建て込むことができる。なお、該第３の壁パネル５と対面する第４の壁パネル（図示略）についても第３の壁パネル５と同様にして建て込むことができる。
【００３３】
図１４〜１６を参照して別の実施の形態について説明する。図１４〜１６では壁パネル４，７と壁パネル５とをジョイント金具３９によって連結し、部屋のコーナー部に化粧カバー４０を配置している。ジョイント金具３９はクランク形状であり、一端側がボルト３１及びナット３２によって壁パネル４，７に固定され、他端側が壁パネル５の背面に回り込んでいる。壁パネル４，７と壁パネル５とが交わるコーナー部（入隅部）にＬ形の支持材４１が接着剤などによって取り付けられており、化粧カバー４０の爪部４０ａが該支持材４１の両端の引掛部に係合することにより化粧カバー４０が装着されている。
【００３４】
図１４では、壁プレート３の前面３ｆと基礎側面２ｆとが面一となっており、壁パネル５，５はそのまま建て込まれている。図１５は、壁プレート３が図９のように室内側に寸法ａだけ基礎側面２ｆからせり出して立設された場合を示している。この場合、壁パネル５の側辺を寸法ａ分だけ切り落した壁パネル５’を用いること以外は図１４と同様にして壁パネル４，５，５’，７を建て込む。
【００３５】
図１６は、壁プレート３の前面３ｆが図１０のように寸法ｂだけ設計予定位置ＷＬから後退して立設された場合を示している。この場合には、壁パネル５に隣接してバックアップ材４５を設置する。バックアップ材４５は、ジョイント金具３９に接着剤などによって取り付けられている。支持材４１はこのバックアップ材４５を覆うように配置され、バックアップ材４５及び壁パネル４，５に接着されている。この支持材４１に化粧カバー４０が取り付けられることにより、バックアップ材４５は隠蔽される。ジョイント金具３９は壁パネル５の背面にまで延在している。この図１６の構成によると、図１３のようにタイル３６を張る作業が不要となり、施工効率が向上する。
【００３６】
上記実施の形態はいずれも本発明の一例であり、本発明は図示以外の形態とされてもよい。本発明では、バックアップ材の前面をタイルや化粧カバー以外の表面材によって隠蔽してもよい。このような表面材としては、樹脂パネル、金属パネル、ミラー、装飾棚などが挙げられる。上記実施の形態では、壁パネル５は２枚設置されているが、１枚又は３枚以上であってもよい。本発明方法は、天井パネルや床パネルの施工にも応用できる。
【符号の説明】
【００３７】
１  躯体床
２  基礎
３  壁プレート
４，５，６，７  壁パネル
１１  ブラケット
２０  フレーム
２２，３６  タイル
３０  ジョイント金具
３５，４５  バックアップ材
【図１】
2014156701.tif 000003
【図２】
2014156701.tif 000004
【図３】
2014156701.tif 000005
【図４】
2014156701.tif 000006
【図５】
2014156701.tif 000007
【図６】
2014156701.tif 000008
【図７】
2014156701.tif 000009
【図８】
2014156701.tif 000010
【図９】
2014156701.tif 000011
【図１０】
2014156701.tif 000012
【図１１】
2014156701.tif 000013
【図１２】
2014156701.tif 000014
【図１３】
2014156701.tif 000015
【図１４】
2014156701.tif 000016
【図１５】
2014156701.tif 000017
【図１６】
2014156701.tif 000018